(57)【要約】【課題】極めて小型のマイクロチップを用いた場合であっても、測定対象液がマイクロチップの外部に流出することを確実に防止することが可能なマイクロチップ検査装置を提供すること。【解決手段】吸光光度法により、測定対象液による特定波長の吸光量を測定するための吸光光度測定部２１を有するマイクロチップ２と、吸光光度測定部２１に対し平行光を入射させる光源３と、吸光光度測定部２１を透過した光を受光するための受光部７とを備えるマイクロチップ検査装置において、吸光光度測定部２１内に測定対象液を充填させるための吸引機構６と、吸引機構６の動作を制御する制御機構８とを備え、受光部７は、吸光光度測定部２１を通過した光源３からの光強度に基づく信号を制御機構８に送信し、制御機構８は、前記信号と設定された指標値とに基づいて、吸引機構６に対し測定対象液の吸引を停止させるための停止信号を送信することを特徴とする。  【選択図】  図１
2006234499.tif 000002
【特許請求の範囲】
【請求項１】
吸光光度法により、測定対象液による特定波長の吸光量を測定するための吸光光度測定部を有するマイクロチップと、前記吸光光度測定部に対し平行光を入射させる光源と、前記吸光光度測定部を透過した光を受光するための受光部とを備えるマイクロチップ検査装置において、
前記吸光光度測定部内に測定対象液を充填させるための吸引機構と、該吸引機構の動作を制御する制御機構とを備え、
前記受光部は、前記吸光光度測定部を通過した光源からの光強度に基づく信号を前記制御機構に送信し、
前記制御機構は、前記信号と設定された指標値とに基づいて、前記吸引機構に対し測定対象液の吸引を停止させるための停止信号を送信することを特徴とするマイクロチップ検査装置。
【請求項２】
吸光光度法により、測定対象液による特定波長の吸光量を測定するための吸光光度測定部を有するマイクロチップと、前記吸光光度測定部に対し平行光を入射させる光源と、前記吸光光度測定部を透過した光を受光するための受光部とを備えるマイクロチップ検査装置において、
前記吸光光度測定部内に測定対象液を充填させるための吸引機構と、該吸引機構の動作を制御する制御機構とを備え、
前記受光部は、前記吸光光度測定部を通過した光源からの光強度に基づく信号を前記制御機構に送信し、
前記制御機構は、前記信号と設定された指標時間とに基づいて、前記吸引機構に対し測定対象液の吸引を停止させるための停止信号を送信することを特徴とするマイクロチップ検査装置。  
【請求項３】
前記マイクロチップは、前記吸光光度測定部と前記吸引機構に接続される箇所とを結ぶ流路に液溜め部を備えることを特徴とする請求項１または請求項２に記載のマイクロチップ検査装置。  
【発明の詳細な説明】
【技術分野】
【０００１】
本発明は、吸光光度分析法により測定対象液中における検出対象成分の濃度を測定するためのマイクロチップ検査装置に関する。特に、人体の肝機能を診断する上で必要とされるＧＰＴ（グルタミン酸ピルビン酸トランスアミナーゼ）やγ−ＧＴＰ（γグルタミルトランスペプチターゼ）等の酵素活性を測定するために使用するマイクロチップ検査装置に関する。
【背景技術】
【０００２】
近年、マイクロマシン技術を応用して、化学分析等を従来の装置に比して微細化して行うμ−ＴＡＳ（μ−ＴｏＴａｌ  Ａｎａｌｙｓｉｓ  Ｓｙｓｔｅｍ）や「Ｌａｂ  ｏｎ  ａ  ｃｈｉｐ」と称されるマイクロチップをした分析方法が注目されている。
このようなマイクロチップを使用した分析システム（以下、マイクロチップ分析システムという）は、マイクロマシン作製技術によって小さな基板上に形成された微細な流路の中において、試薬の混合、反応、分離、抽出及び検出等の分析の全ての工程を行うことを目指したものであり、例えば、医療分野における血液の分析、超微量の蛋白質や核酸等の生体分子の分析等に用いられている。
【０００３】
特に、マイクロチップ分析システムを人の血液の分析に用いた場合には、例えば、血液量が少なくて済むことから患者への負担を軽減することができるとともに、試薬量も少なくて済むことから分析コストを低減することができる。また、装置が小型であることから分析を容易に行うことができる等の利点がある。このような利点を生かして、マイクロチップ分析システムによる血液分析装置を、例えば、自宅等において患者自身が血液分析を行うことのできる仕様にすることが検討されている。
【０００４】
マイクロチップ分析システムにおいては、測定対象液中における検出対象成分の濃度を測定するためには、一般的に吸光光度分析法が用いられており、例えば、特開２００３−２７９４７１号公報に示されるように、マイクロチップに形成された流路内に、被検査液に試薬を加えることによって得られた吸光成分を含有する測定対象液を流し込み、当該流路の直線状部分を吸光光度測定部として、光源から放射された光を吸光光度測定部を透過させて、受光部で受光することによって得られる吸光度から測定対象液中の検出対象成分の濃度を算出するマイクロチップ検査装置が知られている。
【０００５】
また、特開２００４−１０９０９９号公報には、血液分析方法において、吸光光度測定部に測定対象液を充填させる作業を、例えば、吸引ポンプ等の吸引機構を用いて吸光光度測定部内を減圧状態とすることによって行うことが示されている。
【０００６】
【特許文献１】特開２００３−２７９４７１号公報
【特許文献２】特開２００４−１０９０９９号公報
【発明の開示】
【発明が解決しようとする課題】
【０００７】
しかし、従来のマイクロチップ分析システムにおいては、マイクロチップが極めて小型であることから以下のような問題を生じる。
例えば、特開２００４−１０９０９９号公報に示されるような血液分析方法においては、吸光光度測定部と吸引機構に接続される吸収機構接続用孔とを結ぶ流路が極めて微細であることに起因して、吸光光度測定部内が測定対象液によって充填された際に、測定対象液の吸引を停止すべく吸引機構のスイッチを切るタイミングが極めて難しい。そのため、吸引機構を停止させるタイミングが遅れた場合には、測定対象液がマイクロチップの外部に流出してしまうという不具合を生じる。
【０００８】
特に、被検査液が人の血液や血漿等の生化学物質である場合には、マイクロチップを取り扱う使用者が測定対象液に触れることにより２次感染を引き起こすおそれがある。また、吸引機構が被検査液中に含まれる成分によって汚染されるため、短い時間サイクルで吸引機構を洗浄する必要があるため、作業性が著しく低下してしまう。
【０００９】
本発明の目的は、上記の問題点に鑑み、極めて小型のマイクロチップを用いた場合であっても、測定対象液がマイクロチップの外部に流出することを確実に防止することが可能なマイクロチップ検査装置を提供することにある。
【課題を解決するための手段】
【００１０】
本発明は、上記の課題を解決するために、次のような手段を採用した。
第１の手段は、吸光光度法により、測定対象液による特定波長の吸光量を測定するための吸光光度測定部を有するマイクロチップと、前記吸光光度測定部に対し平行光を入射させる光源と、前記吸光光度測定部を透過した光を受光するための受光部とを備えるマイクロチップ検査装置において、前記吸光光度測定部内に測定対象液を充填させるための吸引機構と、該吸引機構の動作を制御する制御機構とを備え、前記受光部は、前記吸光光度測定部を通過した光源からの光強度に基づく信号を前記制御機構に送信し、前記制御機構は、前記信号と設定された指標値とに基づいて、前記吸引機構に対し測定対象液の吸引を停止させるための停止信号を送信することを特徴とするマイクロチップ検査装置である。
【００１１】
第２の手段は、吸光光度法により、測定対象液による特定波長の吸光量を測定するための吸光光度測定部を有するマイクロチップと、前記吸光光度測定部に対し平行光を入射させる光源と、前記吸光光度測定部を透過した光を受光するための受光部とを備えるマイクロチップ検査装置において、前記吸光光度測定部内に測定対象液を充填させるための吸引機構と、該吸引機構の動作を制御する制御機構とを備え、前記受光部は、前記吸光光度測定部を通過した光源からの光強度に基づく信号を前記制御機構に送信し、前記制御機構は、前記信号と設定された指標時間とに基づいて、前記吸引機構に対し測定対象液の吸引を停止させるための停止信号を送信することを特徴とするマイクロチップ検査装置である。      
【００１２】
第３の手段は、第１の手段または第２の手段において、前記マイクロチップは、前記吸光光度測定部と前記吸引機構に接続される箇所とを結ぶ流路に液溜め部を備えることを特徴とするマイクロチップ検査装置である。  
【発明の効果】
【００１３】
請求項１に記載の発明によれば、受光部に接続された制御機構を備え、制御機構には、測定対象液の種類及びマイクロチップの仕様毎に指標値が設定されているので、吸光光度測定部に対して測定対象液が満たされた後、受光部から得られた電圧信号に基づき速やかに吸引機構を停止させることができる。そのため、マイクロチップの外部に測定対象液が流出するという不具合を良好に防止できる。これにより被検査液が人の血液等であった場合でも、作業者が２次感染を引き起こすという問題も生じることがない。
【００１４】
請求項２に記載の発明によれば、受光部に接続された制御機構を備え、制御機構には、測定対象液の種類及びマイクロチップの仕様毎に指標時間が設定されているので、吸光光度測定部に対して測定対象液が満たされた後、受光部から得られた電圧信号に基づき速やかに吸引機構を停止させることができる。そのため、マイクロチップの外部に測定対象液が流出するという不具合を良好に防止できる。これにより被検査液が人の血液等であった場合でも、作業者が２次感染を引き起こすという問題も生じることがない。
【００１５】
請求項３に記載の発明によれば、万が一、吸引機構を停止するタイミングが遅れたとしても、測定対象液が液溜め部を満たしている間に吸引機構を停止させて、測定対象液がマイクロチップの外部に流出することを確実に防止することができる。
【発明を実施するための最良の形態】
【００１６】
はじめに、本発明の第１の実施形態を図１乃至図３を用いて説明する。
図１（ａ）は、本実施形態の発明に係るマイクロチップ検査装置の構成の一例を示す図、図１（ｂ）は、図１（ａ）に示すマイクロチップ検査装置のＡ−Ａ断面図である。
【００１７】
これらの図において、１は、例えば、アルミニウム製の箱状体からなるチップホルダー、１１は後述する光源３から放射された光を後述するマイクロチップ２の吸光光度測定部２１に導入するアパーチャー部、１１１は光源３から放射された光が入射されるアパーチャー部１１の一端部、１１２はアパーチャー部１１を通った光が出射されるアパーチャー部１１の他端部、１２は吸光光度測定部２１を透過し出射した光を受光部７に導入するために設けられた透過光導光路、１３はチップホルダー１に設けられたマイクロチップ２を組込む組込み空間、１４はチップ組込み用開口部、１５ａ及び１５ｂはそれぞれチップホルダー１を構成する上側基板及び下側基板、１６は吸引機構接続用孔、２はマイクロチップ、２１は、マイクロチップ２の先端部の面方向に水平（図１において上下方向）に伸びる直方体状空間よりなる吸光光度測定部、３は吸光光度測定部２１に対して光を供給する光源、４及び５はそれぞれ光源３から放射された光がチップホルダー１に至るまでの光路上に設けられた平滑レンズ及び波長選択フィルタ、６は、吸光光度測定部２１を減圧状態とすることにより、吸光光度測定部２１に対し、測定対象液を充填させるための吸引機構、７は吸光光度測定部２１を介して光源３と対向するように設けられ、吸光光度測定部２１を通過した光を受光するための受光部、８は受光部７の測定結果に基づき吸引機構６の動作を制御する信号を出力するとともに、測定された吸光度に基づいて測定対象液中における検出対象成分の濃度を算出するための制御機構であって、詳細には受光部７から出力された電圧信号に基づいてランベルト−ベールの法則により測定対象液中における検出対象成分の濃度を算出するとともに、受光部７から得られた光強度信号に基づいて吸引機構６の動作を制御するものであり、９は制御機構８において演算された検出対象成分の濃度値を表示するための表示部である。
【００１８】
ここで、チップホルダー１のアパーチャー部１１は、吸光光度測定部２１の光軸方向に直線状に伸び、一端部１１１から入射した光を他端部１１２から出射することによって吸光光度測定部２１に導入するように構成されている。
アパーチャー部１１はその内面は非反射処理されていることが好ましく、非反射処理の具体例としては、チップホルダー１の材質等によって適宜選択されるが、例えば、チップホルダー１がアルミニウム製である場合には、黒アルマイト処理等が挙げられる。
【００１９】
チップホルダー１は、チップ組込み空間用凹所、アパーチャー部用凹所及び透過光導光路が形成された上側基板１５ａと、チップ組込み空間用凹所のみが形成された下側基板１５ｂとを用意し、上側基板１５ａ及び下側基板１５ｂにおける２つのチップ組込み空間用凹所を組み合わせることによってチップ組込み空間１３を形成するように接合することにより作製される。
【００２０】
光源３は、キセノンランプ、プロジェクター用光源として好適な超高圧水銀ランプ、ショートアーク型メタルハライドランプ等を用いることが可能であるが、大きな発光強度が得られるとともに点光源化が容易であり、その上、波長２５０〜１４００ｎｍの広い波長領域において連続スペクトルを有し、特に吸光度測定に多く用いられ波長領域（例えば、波長３００〜８００ｎｍの領域）において輝線の発生がなく安定的な放射スペクトルが得られることから、消費電力２０〜７５Ｗのショートアーク型キセノンランプを用いることが好ましい。
【００２１】
波長選択フィルタ５は、吸光光度測定部２１に導入された測定対象液中における吸光成分が吸収する波長領域の光に対してのみ高い透過率を有するものであり、例えば、ガラス板上に誘電体多層膜や金属膜を積層してなるものを用いる。
【００２２】
吸引機構６は、吸引機構接続用孔１６に接続され、吸光光度測定部２１を減圧状態とすることによって測定対象液を吸光光度測定部２１に導入するためのものであり、例えば、ダイヤフラムポンプ等が用いられる。
【００２３】
受光部７は、吸光光度測定部２１を透過した光の光強度に基づき、光電変換することにより電圧信号を出力する機能を有するものであり、例えば、波長３００〜１１００ｎｍの波長領域の光に対して感度を有するシリコンダイオードを用いることが可能である。
【００２４】
制御機構８は、測定対象液毎に設定された指標値と受光部７から得られた光強度信号とを比較演算し、受光部７から得られた光強度信号が指標値の範囲内となった際に、吸引機構６に対して、吸光光度測定部２１へ測定対象液が吸引されることを停止するために停止信号を送信する。
【００２５】
図２（ａ）は、図１（ａ）に示したマイクロチップ検査装置に使用するマイクロチップの構成の一例を示す図、図２（ｂ）は、図２（ａ）に示すマイクロチップのＢ−Ｂ断面図である。
【００２６】
これらの図において、２２ａ及び２２ｂは、それぞれマイクロチップ２を構成する、例えば、ポリエチレンテレフタレート（ＰＥＴ）等のプラスチック等の光透過性材料からなる上側基板及び下側基板、２３は上側基板２２ａによって形成される面側に開口する被検査液注入用孔、２４は上側基板２２ａによって形成される面側に開口する試薬注入用孔、２５は上側基板２２ａによって形成される面側に開口し、チップホルダー１の吸引機構接続用孔１６と一致する位置に設けられる吸引機構接続用孔、２６は基板２２ａに形成された凹所が基板２２ｂによって密閉されることにより形成され、被検査液と試薬とを混合する混合部、２７ａは被検査液注入用孔２３と混合部２６とを連通する被検査液流路、２７ｂは試薬注入孔２４と混合部２６とを連通する試薬流路、２７ｃは混合部２６と吸光光度測定部２１とを連通する測定対象液流路、２７ｄは吸光光度測定部２１と吸引機構接続用孔２５とを連通する排出流路、２８は排出流路２７ｄの一部に形成されたバッファ機能を有する液溜め部、２９はマイクロチップ２の先端部分に設けられた突出部である。なお、その他の構成は図１（ａ）に示した同符号の構成に対応するので説明を省略する。
【００２７】
これらの図に示すように、マイクロチップ２においては、被検査液注入用孔２３に供給された被検査液と試薬注入用孔２４に供給された試薬とが混合部２６において混合されることによって得られた吸光成分を含有する測定対象液が、吸引機構６により吸光光度測定部２１内を減圧状態とすることによって吸光光度測定部２１に導入され、充填される。吸光光度測定部２１において測定対象液の充填が完了した後は、吸引機構接続用孔２５から測定対象液が排出されないようにするために、吸引機構６による測定対象液の吸引を停止する。
【００２８】
次に、本実施形態に発明に係るマイクロチップ検査装置の動作について説明する。
吸引機構６により、吸光光度測定部２１に測定対象液が充填されると、光源３から放射されて平滑レンズ４により平行化された光のうちの波長選択フィルタ５を透過した光が、アパーチャー部１１に入射した後、吸光光度測定部２１を透過することにより、その一部が測定対象液中の吸光成分に吸収された残りの一部が透過光導光路１２を介して受光部７に供給される。
【００２９】
受光部７は、入力された吸光光度測定部２１を透過した光の電圧値に基づく電圧信号を制御機構８に対して出力し、制御機構８において前記電圧信号と測定対象液毎に設定された指標値とを比較演算することにより、電圧信号が指標値の範囲内となった際に、吸光光度測定部２１が測定対象液によって満たされたと判断して、制御機構８から吸引機構６に対して停止信号が出力され、吸引機構６は測定対象液の吸引を停止する。
その後、受光部７から出力された電圧信号は制御機構８に入力され、この電圧信号に基づいて算出された検出対象成分の濃度が表示部９に表示される。
【００３０】
上記のごとく、本発明のマイクロチップ検査装置によれば、受光部７に接続された制御機構８を備え、制御機構８が測定対象液の種類及びマイクロチップの仕様毎に「指標値」が設定されていることにより、吸光光度測定部２１に対して測定対象液が満たされた後、受光部７から得られた電圧信号に基づき速やかに吸引機構６を停止させることができる。
【００３１】
そのため、吸光光度測定部２１と吸引機構６が接続される吸引機構接続用孔１６，２５を連通する排出流路２７ｄが極めて微細であっても、吸引機構６を停止させるタイミングが遅れることによって吸引機構接続用孔１６，２５から測定対象液が流出するという不具合を良好に防止することができる。これにより被検査液が人の血液等であった場合でも、作業者が２次感染を引き起こすという問題も生じることがない。
【００３２】
しかも、排出流路２７ｄの一部にバッファ機能を有する液溜め部２８を備えていることにより、排出流路２７ｄの容積が極めて微小である場合等において、万が一、吸引機構６を停止するタイミングが遅れたとしても、測定対象液が液溜め部２８を満たしている間に吸引機構６を停止させて、排出流路２７ｄ内を常圧に戻すことによって、吸引機構接続用孔１６，２５から測定対象液がマイクロチップ２の外部に流出することを確実に防止することができる。
【００３３】
また、本発明のマイクロチップ検査装置は、吸光光度測定部２１がマイクロチップ２における他の部分から突出した突出部２９に独立した状態で設けられているので、マイクロチップ検査装置自体の測定系の設計の自由度を大きくとることができ、測定誤差を小さくすることができる。
【００３４】
次に、第１の実施形態の発明に係るマイクロチップ検査装置における実験結果について説明する。
実験の条件は、図１（ａ）に示す構成に従ったマイクロチップ検査装置を作製し、図２（ａ）に示す構成のマイクロチップ２を２個（サンプル１及びサンプル２）を用意した。
測定対象液として、濃度３１ｍｍｏｌ／ＬのＧｌｕＣＡＮＡ（Ｌ−γ−グルタミル−３−カルボキシ−４−ニトロアニリド）及び濃度１９３ｍｍｏｌ／Ｌのグリシルグリシンの混合溶液を１５μｌ（マイクロリットル）使用した。
吸引機構６として、図示されていない吸引能力１００ｃｃ／ｍｉｎの小型吸引ポンプを使用し、吸引機構接続用孔１６に接続した。吸引圧力は１．６ｋＰａとした。
光源３としては、７５Ｗのキセノンランプを使用した。
受光部７によるサンプリングタイム（１データ毎の採取時間間隔）を０．０２秒とした。
【００３５】
上記の実験条件のもと、吸引機構６によりマイクロチップ２における吸光光度測定部２１内を吸引するとともに、光源３を点灯駆動させて吸光光度測定部２１を通過した光源３からの光強度に基づく電圧値を測定した。
【００３６】
図３は、上記の実験結果を示すグラフであり、横軸は時間（秒）、縦軸は後述する時間域ｔ１における電圧値の平均値を１００としたときの相対強度を示す。
同図に示すように、いずれのサンプルにおいても、吸引開始から１．４〜１．５秒経過後に電圧値が変動し始め、いずれのサンプルにおいても、吸引開始から４．６秒経過した以降は電圧値が一定となった。
【００３７】
この図において、「指標値」とは、吸引開始から電圧値が一定となるまでの時間域をｔ１とし、時間域ｔ１を経過した後、電圧値の急峻な変動を開始するまでの電圧値が一定となっている時間域をｔ２とし、時間域ｔ２を経過した後、電圧値が一定となるまでの電圧値が急峻に変動している時間域をｔ３とし、時間域ｔ３を経過した後、電圧値が一定となっている時間域をｔ４とし、時間域ｔ２における電圧値の平均値をＩ１とし、時間域ｔ４における電圧値の平均値をＩ２としたとき、Ｉ１に対するＩ２の割合（Ｉ２／Ｉ１）を意味するものである。具体的には、図６においては、「指標値」は３５％〜５５％の値である。
【００３８】
ここで、上記の「電圧値が一定となっている時間域」とは、例えば、０．３秒の間に測定した電圧値データから算出される平均値とこの測定時間における各測定値とを対比した場合、平均値に対する各測定値の増減割合が±２％以内となる時間域を意味するものとする。
【００３９】
この実験に示すとおり、「指標値」は、測定対象液の種類及びマイクロチップの仕様等の要因によって異なる。従って、本発明のマイクロチップ検査装置を使用して測定対象液の吸光光度測定部２１への吸引を停止させる時間を求める際には、測定対象液及びマイクロチップ毎に対応する「指標値」を予め制御機構８に対して設定しておく必要がある。
【００４０】
また、測定する個々のマイクロチップは、光の入射部及び出射部の状態等の要因によって、測定値に個体差が生じるので、上記の実験に示す通り、電圧値が一定になった時の電圧値はマイクロチップ毎に異なるものである。このため、電圧値が安定したと判断するための「指標値」には所定の範囲を持たせておく必要がある。
【００４１】
次に、本発明の第２の実施形態を図１、図２及び図４を用いて説明する。
本実施形態の発明に係るマイクロチップ検査装置は、図１に示す制御機構８に対して、第１の実施形態において用いた「指標値」に代えて、「指標時間」を設定し、これに基づいて吸引機構６の動作を制御することにある。なお、その他の構成は図１及び図２に示した構成と同一であるので説明を省略する。
【００４２】
これらの図に示すように、制御機構８は、受光部７から得られる電圧信号に基づいて、吸光光度測定部２１に対する測定対象液の導入開始時点を認識し、その時点から所定の指標時間を経過した後に、吸引機構６に対して停止信号を送信することによって、吸光光度測定部２１に対する測定対象液の吸引を停止させるものである。
【００４３】
次に、本実施形態に発明に係るマイクロチップ検査装置の動作について説明する。
吸引機構６により、吸光光度測定部２１に測定対象液が充填されると、光源３から放射されて平滑レンズ４により平行化された光のうちの波長選択フィルタ５を透過した光が、アパーチャー部１１に入射した後、吸光光度測定部２１を透過することにより、その一部が測定対象液中の吸光成分に吸収された残りの一部が透過光導光路１２を介して受光部７に供給される。
【００４４】
受光部７は、入力された吸光光度測定部２１を透過した光の電圧値に基づく電圧信号を制御機構８に対して出力し、制御機構８において前記電圧信号に基づいて、測定対象液の導入開始時点を認識するとともに予め設定されている「指標時間」を経過した際には、吸光光度測定部２１が測定対象液によって満たされたと判断して、制御機構８から吸引機構６に対して停止信号を出力し、吸引機構６は測定対象液の吸引を停止する。
その後、受光部７から出力された電圧信号は制御機構８に入力され、この電圧信号に基づいて算出された検出対象成分の濃度が表示部９に表示される。
【００４５】
上記のごとく、本実施形態の発明に係るマイクロチップ検査装置によれば、受光部７に接続された制御機構８を備え、制御機構８が測定対象液の種類及びマイクロチップの仕様毎に「指標時間」が設定されていることにより、吸光光度測定部２１に対して測定対象液が満たされた後、受光部７から得られた電圧信号に基づき速やかに吸引機構６を停止させることができる。
その結果、本実施形態の発明に係るマイクロチップ検査装置も、第１の実施形態の発明に係るマイクロチップ検査装置と同様の効果を奏することができる。
【００４６】
次に、第２の実施形態の発明に係るマイクロチップ検査装置における実験結果について説明する。
実験の条件は、第１の実施形態の発明に係るマイクロチップ検査装置のときと同じである。
【００４７】
図４は、実験結果を示すグラフであり、横軸は測定対象液の導入開始時点をゼロとした場合の経過時間（秒）、縦軸は後述する時間域ｔ２における電圧値の平均値を１００としたときの相対強度を示す。
ここで、測定対象液の導入開始時点とは、図４に示すように、サンプル１及びサンプル２において、時間域ｔ２と時間域ｔ３の境界点、すなわち、電圧値が急峻に変動し始める時点を意味する。
同図に示すように、時間域ｔ３を経過した後、電圧値が一定となる時間域ｔ４が存在しており、「指標時間」とは、時間域ｔ３を経過するのに要する時間を意味し、この実験では２．９６秒である。
【００４８】
「指標時間」は、測定対象液の種類やマイクロチップの仕様等の要因によって異なるものである。従って、本実施形態の発明に係るマイクロチップ検査装置を使用して測定対象液中に含まれる検出対象成分の濃度を求める際には、測定対象液及びマイクロチップ毎に対応する「指標時間」を予め制御機構８に対して設定しておく必要がある。
【図面の簡単な説明】
【００４９】
【図１】第１の実施形態及び第２の実施形態の発明に係るマイクロチップ検査装置の構成の一例を示す図である。
【図２】図１に示したマイクロチップ検査装置に使用するマイクロチップの構成の一例を示す図である。
【図３】第１の実施形態の発明に係るマイクロチップ検査装置を用いた実験結果を示すグラフである。
【図４】第２の実施形態の発明に係るマイクロチップ検査装置を用いた実験結果を示すグラフである。
【符号の説明】
【００５０】
１  チップホルダー
１１  アパーチャー部
１１１  アパーチャー部の一端部
１１２  アパーチャー部の他端部
１２  透過光導光路
１３  組込み空間
１４  チップ組込み用開口部
１５ａ  上側基板
１５ｂ  下側基板
１６  吸引機構接続用孔
２  マイクロチップ
２１  吸光光度測定部
２２ａ  上側基板
２２ｂ  下側基板
２３  被検査液注入用孔
２４  試薬注入用孔
２５  吸引機構接続用孔
２６  混合部
２７ａ  被検査液流路
２７ｂ  試薬流路
２７ｃ  測定対象液流路
２７ｄ  排出流路
２８  液溜め部
２９  突出部
３  光源
４  平滑レンズ
５  波長選択フィルタ
６  吸引機構
７  受光部
８  制御機構
９  表示部
【図１】
2006234499.tif 000003
【図２】
2006234499.tif 000004
【図３】
2006234499.tif 000005
【図４】
2006234499.tif 000006